(57)【要約】  【課題】  改ざん防止用シールや接着剤等を用いることなく、蓋部或いは底部を箱本体に容易かつ強固に取り付ける一方で、蓋部或いは底部を開封した際に開封跡を明確に残すことができる改ざん防止用箱を提供する  【解決手段】  差込用切込部１ａを有する正面板１、背面板２、第１側面板３、第２側面板４、蓋板６、蓋板６に連接され第２正面板７、及び第２正面板７に連接されるとともに、差込用切込部１ａに差し込まれる差込片８を有する箱Ａにおいて、差込片８の左右両側に連接され、差込片８とともに箱Ａ内に差し込まれることにより差込用切込部１ａと係合して、差込片８が箱Ａ内から抜け出することを阻止する逆止片９，１０を備える。  【選択図】  図２
2005231707.tif 000002
【特許請求の範囲】
【請求項１】
差込用切込部を有する正面板、背面板、第１側面板、第２側面板、蓋板、前記蓋板に連接され第２正面板、及び前記第２正面板に連接されるとともに、前記差込用切込部に差し込まれる差込片を有する箱において、
前記差込片の左右両側に連接され、前記差込片とともに前記箱内に差し込まれることにより前記差込用切込部と係合して、前記差込片が前記箱内から抜け出することを阻止する逆止片を備えることを特徴とする改ざん防止用箱。
【請求項２】
前記第２正面板に前記箱を開封する開封用切線が設けられることを特徴とする請求項１に記載の改ざん防止用箱。
【請求項３】
前記第１或いは前記第２側面板に連接される第１及び第２上部サイドフラップを有し、
前記第１及び前記第２上部サイドフラップのそれぞれが前記蓋板にも連接されることを特徴とする請求項１又は請求項２に記載の改ざん防止用箱。
【請求項４】
前記箱は、紙により形成されることを特徴とする請求項１から請求項３にうち何れか一項に記載の改ざん防止用箱。
【請求項５】
前記箱は、ポリエチレン、ポリプロピレン、ポリ塩化ビニル、ポリスチレン、ペット樹脂のうち何れか一つ、或いはこれらの複合素材から形成されることを特徴とする請求項１から請求項３にうち何れか一項に記載の改ざん防止用箱。
【発明の詳細な説明】
【技術分野】
【０００１】
本発明は、食品や化粧品等の物品を収納するための箱に関するものであり、さらに詳しくは、開封済か未開封かを判断することができる機能が付いた箱に関する。
【背景技術】
【０００２】
従来から、食品や化粧品等の物品を収容する箱には、開封済か未開封かを判断するために、或いは不正に内容物が抜き取られることを防止するために、箱の蓋部或いは底部に改ざん防止用シールを貼ったり、接着剤等で接着したりする等の手段が採られていた。
しかし、改ざん防止用シールや接着剤等を用いる場合には、改ざん防止用シール或いは接着剤の材料費、及び改ざん防止用シールの貼り付け或いは接着剤の塗布のための設備費や加工費が別途必要になってしまう。
このため、特開平１１−１０５８５２号公報に示すように、強固に蓋部或いは底部を箱本体に取り付けることにより、販売或いは展示中に内容物が抜き取られることを防止する技術が提案されている。
【特許文献１】特開平１１−１０５８５２号公報
【発明の開示】
【発明が解決しようとする課題】
【０００３】
しかしながら、上述した技術では、蓋部或いは底部を箱本体に強固に取り付けているため、蓋を容易に開封することができず、別途、開封用のフラップを設ける等の措置を採る必要があった。
本発明は、上述した事情に鑑みてなされたもので、改ざん防止用シールや接着剤等を用いることなく、蓋部或いは底部を箱本体に容易かつ強固に取り付ける一方で、蓋部或いは底部を開封した際に開封跡を明確に残すことができる改ざん防止用箱を提供することを目的とする。
【課題を解決するための手段】
【０００４】
本発明に係る改ざん防止用箱では、上記課題を解決するために以下の手段を採用した。
本発明は、差込用切込部を有する正面板、背面板、第１側面板、第２側面板、蓋板、蓋板に連接され第２正面板、及び第２正面板に連接されるとともに、差込用切込部に差し込まれる差込片を有する箱において、差込片の左右両側に連接され、差込片とともに箱内に差し込まれることにより差込用切込部と係合して、差込片が箱内から抜け出することを阻止する逆止片を備えるようにした。
【０００５】
また、第２正面板に前記箱を開封する開封用切線が設けられるようにした。
また、第１或いは第２側面板に連接される第１及び第２上部サイドフラップを有し、第１及び第２上部サイドフラップのそれぞれが蓋板にも連接されるようにした。
【０００６】
また、箱が紙により形成されるようにした。
また、箱がポリエチレン、ポリプロピレン、ポリ塩化ビニル、ポリスチレン、ペット樹脂のうち何れか一つ、或いはこれらの複合素材から形成されるようにした。
【発明の効果】
【０００７】
本発明によれば以下の効果を得ることができる。
本発明は、差込用切込部を有する正面板、背面板、第１側面板、第２側面板、蓋板、蓋板に連接され第２正面板、及び第２正面板に連接されるとともに、差込用切込部に差し込まれる差込片を有する箱において、差込片の左右両側に連接され、差込片とともに箱内に差し込まれることにより差込用切込部と係合して、差込片が箱内から抜け出することを阻止する逆止片を備えるようにした。
これにより、第２正面板に連接される差込片を正面板に形成された差込用切込部から箱内に差し込むと、蓋と蓋に連接される第２正面板により箱が閉じられ、更に差込片に連接される逆止片が差込用切込部と係合する。したがって、差込片が箱内から抜け出することを阻止されるので、蓋板及び第２正面板が開かず、不正に内容物が抜き取られることを防止することができる。
【０００８】
また、第２正面板に前記箱を開封する開封用切線が設けられるようにしたので、箱の開封を容易に行うことができる。
また、第１或いは第２側面板に連接される第１及び第２上部サイドフラップを有し、第１及び第２上部サイドフラップのそれぞれが蓋板にも連接されるようにしたので、
第１及び第２上部サイドフラップの脇から箱内に異物等を挿入しようとしても、第１及び第２上部サイドフラップによりその侵入路が袋小路となっているので、異物等の挿入を防止できる。
【０００９】
また、箱が紙により形成されるようにしたので、安価かつ軽量な箱を製造することができる。
また、箱がポリエチレン、ポリプロピレン、ポリ塩化ビニル、ポリスチレン、ペット樹脂のうち何れか一つ、或いはこれらの複合素材から形成されるようにしたので、安価かつ軽量で、しかも透明或いは半透明な箱を製造することができる。
【発明を実施するための最良の形態】
【００１０】
以下、本発明の改ざん防止用箱の第１実施形態について図を参照して説明する。
図１は本発明にかかる箱の第１の実施形態を示す斜視図であり、図２は図１の展開図、図３は箱の底面を示す図である。
図１に示すように、箱（改ざん防止用箱）Ａは、正面板１、背面板２、第１側面板３、第２側面板４、蓋板６、第１底板１１、第２底板１２を主要部として備え、更に、糊付片５、第２正面板７、差込片８、第１逆止片９、第２逆止片１０、第１上部サイドフラップ３ａ、第２上部サイドフラップ４ａ、第１下部サイドフラップ３ｂ、第２下部サイドフラップ４ｂ、糊付片１３、糊付片１４を備える。
具体的には、図２に示すように、第１側面板３、背面板２、第２側面板４、正面板１、糊付片５は、折罫３０，３１，３２，３３（図２においては山折り）を介して連接される。なお、正面板１には、差込用切込部１ａが形成される。
また、第１側面板３、背面板２、第２側面板４の上縁にはそれぞれ折罫３４，３５，３６（同、山折り）を介して第１上部サイドフラップ３ａ、蓋板６、第２上部サイドフラップ４ａが連接する。なお、第１上部サイドフラップ３ａ、第２上部サイドフラップ４ａは、それぞれ折罫４７，４８（同、山折り）を介して蓋板６に連接されるとともに、その中央部にそれぞれ折罫４９，５０（図２においては谷折り）が形成される。
更に、蓋板６は、折罫３７（同、山折り）を介して第２正面板７が連接される。第２正面板７は、正面板１の一部を覆うものであって、第２正面板７を横切るように開封用切線７ａが形成される。また、第２正面板７には、折罫３８（同、山折り）を介して差込片８が連接され、更に差込片８の左右両側には、折罫３９，４０（同、山折り）を介して第１逆止片９、第２逆止片１０が連接される。
そして、第１側面板３、正面板１、第２側面板４、背面板２の下縁にはそれぞれ折罫４１，４２，４３，４４（同、山折り）を介して第１下部サイドフラップ３ｂ、第１底板１１、第２下部サイドフラップ４ｂ、第２底板１２が連接する。更に、第１底板１１及び第２底板１２には、それぞれ第１底板係止部１１ａ、第２底板係止部１２ａが形成され、また、それぞれ折罫４５，４６（図２においては谷折り）を介して糊付片１３、糊付片１４が連接する。
【００１１】
なお、箱Ａの材質としては、０．３〜０．４ｍｍ程度厚みの紙や、０．２５〜０．４ｍｍ程度の厚みのプラスチックシート、例えばポリエチレン、ポリプロピレン、ポリ塩化ビニル、ポリスチレン、ペット樹脂、及びこれらの複合材料により形成されることが好ましい。
【００１２】
次に、箱Ａの組立について説明する。
まず、第１側面板３、背面板２、第２側面板４、正面板１、糊付片５をそれぞれ折罫３０，３１，３２，３３で山折りした後に、第１側面板３の裏面と糊付片５とを接着剤等により接着する。
次に、第１下部サイドフラップ３ｂと第１底板１１とをそれぞれ折罫４１，４２で山折りした後に、第１底板１１に連接される糊付片１３の裏面と第１下部サイドフラップ３ｂとを接着剤等により接着し、第１側面板３と正面板１とが略直交するように組み立てる。同様に、第２下部サイドフラップ４ｂと第２底板１２とをそれぞれ折罫４３，４４で山折りした後に、第２底板１２に連接される糊付片１４の裏面と第２下部サイドフラップ４ｂとを接着剤等により接着し、第２側面板４と背面板２とが略直交するように組み立てる。
そして、その後に、折罫４５，４６を谷折りして、図３に示すように、第１底板１１の第１底板係止部１１ａを第２底板１２及び第２下部サイドフラップ４ｂの内側に差し込み、同様に第２底板１２の第２底板係止部１２ａを第１底板１１及び第１下部サイドフラップ３ｂの内側に差し込む。これにより、略平坦な底面１５が形成され、しかも第１底板係止部１１ａと第２底板係止部１２ａとが係合し合うので、底面１５を開封跡を残すことなく、開けることが不可能になる。なお、底面１５が形成された状態では、折罫４５，４６は折り戻されている。
このようにして、箱Ａが半完成して、箱Ａ内に食品や化粧品等の物品を収容することが可能となる。
【００１３】
なお、底面１５を上述したような構成としたのは、開封跡を残すことなく開けることを不可能とするとともに、箱Ａ内に食品や化粧品等の物品を収容する前には、箱Ａを潰して板状にすることができ、運搬、収納等に有利となるからである。すなわち、箱Ａの組立作業と、箱Ａ内にへの物品の収容作業とを異なる場所或いは時期に行う場合が少なくないので、箱Ａを半完成状態で潰して体積を小さくすることができるようにしたのである。具体的には、折罫４５，４６を再度、谷折りすることにより、第１底板１１と第１下部サイドフラップ３ｂ及び糊付片１３とが重なり合い、また第２底板１２と第２下部サイドフラップ４ｂ及び糊付片１４とが重なり合い、箱Ａが板状に潰れる。つまり、正面板１の裏面の一部及び第２側面板４の裏面が背面板２の裏面と密着し、背面板２の裏面の一部及び第１側面板３の裏面が正面板１の裏面と密着する。
【００１４】
次に、箱Ａ内に食品や化粧品等の物品を収容した後の箱Ａの組立について説明する。
まず、蓋板６を折罫３５で山折りすると同時に、第１上部サイドフラップ３ａ，第２上部サイドフラップ４ａをそれぞれ折罫３４，３６，４７，４８で山折し、折罫４９，５０で谷折りする。これにより箱Ａの上面が閉じられるとともに、第１上部サイドフラップ３ａ，第２上部サイドフラップ４ａのそれぞれ自身が折り重なって袋小路状になり、第１上部サイドフラップ３ａ，第２上部サイドフラップ４ａの脇に隙間から箱Ａ内に指等を入れることが不可能となる。
次に、第２正面板７、差込片８をそれぞれ折罫３７，３８で山折りする。そして、第１逆止片９、第２逆止片１０をそれぞれ折罫３９，４０で山折して、第１逆止片９、第２逆止片１０のそれぞれの裏面と差込片８の裏面とを密着させる。更に、その状態で、差込片８、第１逆止片９、第２逆止片１０を正面板１に形成された差込用切込部１ａから、箱Ａの内側に挿し込む。なお、第２正面板７と差込片８とを折罫３８で連接するのは、差込片８を差込用切込部１ａから箱Ａ内に挿し込み作業を容易にするためである。
差込片８、第１逆止片９、第２逆止片１０を差込用切込部１ａから、箱Ａの内側に挿し込むと、第１逆止片９及び第２逆止片１０は、箱Ａの材料自体の回復力により折り戻され、第１逆止片９及び第２逆止片１０の端部９ａ，１０ａの根元部分がそれぞれ差込用切込部１ａの両端部と係合するようになる。
これにより、箱Ａの組立が完成し、図１に示す箱Ａとなる。
そして、蓋板６及び第２正面板７を持ち上げて箱Ａ内から食品や化粧品等の物品を取り出そうとしても、第１逆止片９及び第２逆止片１０がそれぞれ差込用切込部１ａの両端部分と係合するので、開封跡を残すことなく差込片８を箱Ａ内から抜き出すこと不可能となる。
【００１５】
以上説明したように、本発明の箱Ａによれば、食品や化粧品等の物品を箱Ａ内に収容した後に蓋板６を容易に閉じることができ、しかも、蓋板６を及び底面１５を開封跡を残すことなく開けることが不可能となる。これにより、箱Ａに収容した物品を故意に抜き出すことが困難となり、万引き、無断使用、異物の混入等の不正を未然に防止することができる。
【００１６】
続いて、箱Ａ内から食品や化粧品等の物品を取り出す場合について説明する。
箱Ａ内から食品や化粧品等の物品を取り出すには、第２正面板７に形成された開封用切線７ａに沿って第２正面板７を持ち上げる。これにより、第２正面板７は、蓋板６に連接される第２正面板７ｂと差込片８に連接される第２正面板７ａとに切断される。これにより、箱Ａに開封跡を残しつつ、箱Ａ内から食品や化粧品等の物品を取り出すことができる。
【００１７】
ところで、上述した開封跡を残さずに、すなわち開封用切線７ａを切断しないで箱Ａを開封しようとする場合には、蓋板６及び第２正面板７を持ち上げる必要がある。
しかし、上述したように、第１逆止片９及び第２逆止片１０の根元部分がそれぞれ差込用切込部１ａの両端部分と係合するので、簡単には、蓋板６に連接する差込片７を箱Ａ内から抜き出すことできない。
そして、更に、蓋板６及び第２正面板７を持ち上げると、第１逆止片９及び第２逆止片１０の端部９ａ，１０ａのそれぞれが差込用切込部１ａの両端部分に食い込み、差込用切込部１ａ或いは第１逆止片９及び第２逆止片１０が破断してしまう。
【００１８】
このように、蓋板６及び第２正面板７を持ち上げて、箱Ａ内から食品や化粧品等の物品を不正に取り出そうとすると、差込用切込部１ａ或いは第１逆止片９及び第２逆止片１０が破断して、明確な開封跡が残る。したがって、例えば、収容した食品等に毒物等の異物が混入された場合であっても、箱Ａに残される開封跡により、収容した食品等を不正に抜き出したことが確認できるので、未然に、毒物等が混入された食品を食べてしまう危険性を回避することができる。
なお、底面１５及び箱Ａ本体側面は、糊付けしてあるので、底面１５及び箱Ａ本体側面から物品を取り出すと、糊付片５、糊付片１３、糊付片１４に明確な開封跡が残る。
【００１９】
なお、上述した実施形態では、底面１５を第１底板１１，第２底板１２等で構成することにより、開封跡を残すことなく開けることを不可能とするとともに、箱Ａを板状に潰すことを可能にしたが、例えば、図４に示すように、第１底板１１，第２底板１２に替えて、底板１７と底板１７に連接する糊付片１８を設けて、糊付片１８を背面板２の裏面に糊付けする構造としてもよい。
また、上述した実施形態では、底面側を糊付けする形態について説明したが、底面側を上面側と同様な構成としてもよい。
【００２０】
また、上述した実施形態では、第１上部サイドフラップ３ａ、第２上部サイドフラップ４ａのそれぞれが折罫３４，３６を介して第１側面板３、第２側面板４の上縁に連接するとともに、折罫４７，４８を介して蓋板６の側縁に連接される場合について説明したが、これに限らない。例えば、図５に示すように、第１上部サイドフラップ３ａ、第２上部サイドフラップ４ａが折罫３４，３６を介して第１側面板３、第２側面板４の上縁のみ連接するようにしてもよい。このように、第１上部サイドフラップ３ａ、第２上部サイドフラップ４ａを従来と同様に形成することにより、箱Ａの組立が容易になり、作業工程をたん縮することができる。
【図面の簡単な説明】
【００２１】
【図１】箱Ａの斜視図
【図２】箱Ａの展開図
【図３】箱Ａの底面を示す図
【図４】箱Ａの底面の変形例を示す展開図
【図５】箱Ａの上部サイドフラップの変形例を示す展開図
【符号の説明】
【００２２】
Ａ  箱（改ざん防止用箱）
１  正面板
１ａ  差込用切込部
２  背面板
３  第１側面板
３ａ  第１上部サイドフラップ
４  第２側面板
４ａ  第２上部サイドフラップ
６  蓋板
７  第２正面板
７ａ  開封用切線
８  差込片
９  第１逆止片
１０  第２逆止片
【図１】
2005231707.tif 000003
【図２】
2005231707.tif 000004
【図３】
2005231707.tif 000005
【図４】
2005231707.tif 000006
【図５】
2005231707.tif 000007